(57)【要約】【課題】移動体通信端末の使用者が、各種サービスを提供するホストコンピュータ内の情報を容易にアクセス可能とし、さらに、該端末の操作により入出力制御装置の使用者を認証後、該情報を容易に入出力可能な情報入出力システムを得ること。【解決手段】移動体通信端末１と、無線伝送路を介して端末１との通信を行い、端末１の使用者に提供可能なサービスに関するデータベースを備えるホストコンピュータ４と、前記使用者が各種サービスの提供を受けられる契約者かどうかを確認する入出力用ゲートウェイサーバ５と、前記データベースからのデータを、既知の回線を介して受け取り、出力する入出力制御装置６と、を備える構成とする。【選択図】図１
2007133887.tif 000002
【特許請求の範囲】
【請求項１】
移動体通信端末と、
無線伝送路を介して前記端末との通信を行い、前記端末の使用者に提供可能なサービスに関するデータベースを備え、前記使用者が前記各種サービスの提供を受けられる契約者かどうかを確認するサービス提供手段と、
前記サービス提供手段からのデータを、既知の回線を介して受け取り、出力する入出力制御装置と、
を備え、
前記端末と前記サービス提供手段との通信を確立後、前記端末からの操作で、前記データベース内のデータを読み出し、
該データの出力を希望する前記入出力制御装置に対して認証コードを入力し、前記サービス提供手段にて前記サービスの提供を受けられる契約者として認証された場合に、前記入出力制御装置が所定のタイミングで該データを受け取り、その後、出力することを特徴とする情報入出力システム。
【請求項２】
移動体通信端末と、
無線伝送路を介して前記端末との通信を行い、前記端末の使用者に提供可能なサービスに関するデータベースを備えたサービス提供手段と、
前記端末の使用者が前記各種サービスの提供を受けられる契約者かどうかを確認する確認手段と、
前記サービス提供手段内のデータを前記端末から受け取り、出力する入出力制御装置と、
を備え、
前記端末と前記サービス提供手段との通信を確立後、前記端末からの操作で、前記データベース内のデータを読み出し、
該データの出力を希望する前記入出力制御装置に対して認証コードを入力し、前記確認手段にて前記サービスの提供を受けられる契約者として認証された場合に、前記入出力制御装置が所定のタイミングで該データを受け取り、その後、出力することを特徴とする情報入出力システム。
【請求項３】
前記入出力制御装置は、前記認証後、出力コマンドが入力された時点で、前記データを受け取り、その後、出力することを特徴とする請求項１または２に記載の情報入出力システム。
【請求項４】
予め所定の金額の入金しておく現金回収装置や、ＩＣカードや磁気カードの電子マネーを用いて課金処理を行うことを特徴とする請求項３に記載の情報入出力システム。
【請求項５】
前記端末に前記入出力制御装置の設置場所への道順を表示することを特徴とする請求項３または４に記載の情報入出力システム。
【請求項６】
契約者に提供可能なサービスに関するデータベースを備え、該データベースへアクセスを行った人が前記各種サービスの提供を受けられる契約者かどうかを確認するサービス提供手段と、
前記サービス提供手段からのデータを受け取り、出力する入出力制御装置と、
を備え、
前記入出力制御装置からの操作で、前記データベース内のデータを読み出し、
該データの出力を希望する前記入出力制御装置に対して認証コードを入力し、
前記サービス提供手段にて前記サービスの提供を受けられる契約者として認証された場合に、前記入出力制御装置が該データを受け取り、その後、出力することを特徴とする情報入出力システム。
【請求項７】
データ入力用の装置で取り込んだデータを入力可能とし、内部に取り込まれたデータをデータ出力用の装置に出力可能とする複数の入出力制御装置と、
前記複数の入出力制御装置の使用者が、複数の入出力制御装置間の通信が可能な契約者かどうかを確認する確認手段と、
を備え、
出力を希望するある特定の入出力制御装置に対して認証コードを入力し、前記確認手段にて入出力制御装置間の通信が可能な契約者として認証された場合に、所望の入出力制御装置からデータを受け取り、その後、出力することを特徴とする情報入出力システム。
【請求項８】
前記出力されるデータが、新聞または出版物に関するデータであることを特徴とする請求項１〜７のいずれか１つに記載の情報入出力システム。
【請求項９】
前記出力されるデータが、音源データであることを特徴とする請求項１〜７のいずれか１つに記載の情報入出力システム。
【請求項１０】
前記出力されるデータが、静止画像データおよび動画データであることを特徴とする請求項１〜７のいずれか１つに記載の情報入出力システム。
【請求項１１】
データの出力を希望する入出力制御装置に対して、使用者を認証するための認証コードを、無線伝送路を介してまたは既知のケーブルを用いて、入力することを特徴とする移動体通信端末。
【請求項１２】
移動体通信端末から、出力コマンドが入力された時点で、データを受け取り、同時に、予め所定の金額の入金しておく現金回収装置や、ＩＣカードや磁気カードの電子マネーを用いて課金処理を開始することを特徴とする入出力制御装置。
【請求項１３】
インターネットに接続でき、プリントすべきコンテンツを特定するコンテンツＩＤおよび印刷する装置を特定する印刷出力先ＩＤを少なくとも含むプリント要求データを送出する端末と、インターネットに接続されたプリント要求管理サーバ，プリンタサーバ，およびファクシミリサーバと、前記プリンタサーバに接続されたプリンタと、前記ファクシミリサーバに接続されたファクシミリからなる情報入出力システムであって、
前記プリント要求管理サーバは、前記端末から送信されたプリント要求データに含まれる前記「印刷出力先ＩＤ」を解析して得られた出力先に従って適当なファクシミリサーバまたはプリンタサーバへ印刷要求を送信することを特徴とする情報入出力システム。
【請求項１４】
前記プリント要求管理サーバは、前記端末から送信されたプリント要求データに対する課金情報を管理し、管理される課金情報に従って、前記端末の使用者へ課金を行うことを特徴とする請求項１３記載の情報入出力システム。
【請求項１５】
前記ファクシミリサーバおよびプリンタサーバは、受信したプリント要求データに含まれる「ドキュメントＩＤ」を解析し、ファクシミリサーバまたはプリンタサーバ内に含まれるデータであればそれを取得し、ファクシミリサーバまたはプリンタサーバ内になければインターネット上のデータを取得することを特徴とする請求項１３または１４記載の情報入出力システム。
【請求項１６】
前記ファクシミリサーバまたは前記プリンタサーバは、取得した前記データを変換した後に前記ファクシミリまたは前記プリンタへ送信することを特徴とする請求項１５記載の情報入出力システム。
【請求項１７】
前記プリンタ要求データはさらに「印刷時刻」を含み、前記プリント要求管理サーバは該「印刷時刻」に従って、プリント要求をファクシミリサーバまたはプリンタサーバへ送信することを特徴とする請求項１３〜１６のいずれか１項に記載の情報入出力システム。
【請求項１８】
前記プリンタサーバはファイヤウォール（防火壁）により保護されているＬＡＮ内に存在し、前記プリント要求管理サーバは、防火壁を通過できるプロトコル形式でプリント要求を送信することを特徴とする請求項１３〜１７のいずれか１項に記載の情報入出力システム。
【請求項１９】
印刷出力先の前記ファクシミリから前記ファクシミリサーバへ回線を確保した後に、前記ファクシミリサーバにより当該ファクシミリへ印刷データを送信することを特徴とする請求項１３〜１８のいずれか１項に記載の情報入出力システム。
【請求項２０】
前記ファクシミリサーバまたは前記プリンタサーバは、前記プリント要求データ内の前記「印刷出力先ＩＤ」を解析し、該解析結果に従って出力すべきファクシミリを選択することを特徴とする請求項１３〜１９のいずれか１項に記載の情報入出力システム。
【請求項２１】
前記ファクシミリサーバまたは前記プリンタサーバは、取得した前記データを出力先へ送信する際にデータを解析し、データ内に出力用代替データの情報が存在する場合には、その情報に従って出力用代替データを出力することを特徴とする請求項１３〜２０のいずれか1項に記載の情報入出力システム。
【請求項２２】
インターネットに接続でき、出力すべきドキュメントを特定するドキュメントＩＤおよび出力先装置を特定する出力先ＩＤを少なくとも含むプリント要求データを送出する端末。
【発明の詳細な説明】
【技術分野】
【０００１】
本発明は、移動体通信端末を利用し、使用者がホストコンピュータから情報を出力可能な情報入出力システムに関するものであり、より詳細には、本人を認証後、情報を入出力可能な情報入出力システムに関するものである。
【背景技術】
【０００２】
以下、従来の情報入出力システムについて説明する。近年、ノートパソコンおよびＰＤＡ（Personal Digital Assistants）等の携帯情報端末、ＰＨＳ（Personal Handy-Phone System）および携帯電話等の移動体通信端末の普及により、使用場所に左右されることなく、文書の作成処理や、電子メール等の通信処理を容易に行えるようになった。また、これらの端末においては、備えられた通信機能を利用することにより、ネットワーク（通信回線）を介して通信事業者から各種サービス（銀行の各種サービス（残高照会、振込、振替）、各種チケットの予約、航空券予約等）の提供をうけることができる。
【０００３】
しかしながら、従来の携帯情報端末では、作成した文書や上記各種サービスにより得られた情報の印刷出力を行うプリンタについては、装備しておらず、たとえば、移動中に印刷出力を容易に行うことができなかった。そこで、最近では、携帯情報端末の使用者が、出先（移動先）の指定場所（プリンタ）に、所望の情報を印刷出力可能な情報入出力システムが提案されている。
【０００４】
たとえば、図３４は、特開平１０−２２２５２７号公報（特許文献１）に記載された情報入出力システムにおける情報出力処理を示すフローチャートである。ここでは、ＰＤＡ、および出先の指定場所に所望の情報を印刷出力するサービスを提供するサービスセンター間の処理が示されている。なお、図３４では、特に旅行情報サービスの提供を受ける場合について記載されている。
【０００５】
まず、ＰＤＡの使用者は、端末の入力操作により、各種サービスの中から旅行情報サービスを選択する（ステップＳ２０１）。そして、ＰＤＡから使用者の移動先情報、すなわち、出発地、目的地、交通手段、およびデータ出力先等を示す検索出力依頼データを入力し（ステップＳ２０２）、この検索出力依頼データに関する検索出力要求情報をサービスセンターに送信する（ステップＳ２０３）。
【０００６】
一方、サービスセンターでは、上記検索出力要求情報を受け取り（ステップＳ２１１）、まず、交通手段を確認する（ステップＳ２１２）。たとえば、交通手
段が自動車である場合（ステップＳ２１２，車）、サービスセンターでは、同時に受け取る出発地および目的地の情報に基づいて、たとえば、既存のデータベースから地図情報を検索し、道路地図を編集する（ステップＳ２１３）。また、交通手段が電車である場合（ステップＳ２１２，鉄道）、サービスセンターでは、同時に受け取る出発地および目的地の情報に基づいて、既存のデータベースから時刻表情報を検索し、出発地から目的地までの鉄道時刻表を編集する（ステップＳ２１４）。
【０００７】
つぎに、サービスセンターでは、ステップＳ２１３およびステップＳ２１４にて編集した情報に付帯する情報を作成する処理を行う（ステップＳ２１５）。ここでは、たとえば、目的地近隣の観光に関する情報や天候情報等を作成する。そして、ここまでに作成された情報を出力する場所（プリンタまたはＰＤＡの表示画面等）を、使用者から指定されるデータ出力先に基づいて（ステップＳ２０４）指定する処理を行う（ステップＳ２１６）。
【０００８】
たとえば、ＰＤＡの表示画面が指定された場合（ステップＳ２０４，自機、ステップ２１６，ＰＤＡ）、サービスセンターでは、先に作成した情報をＰＤＡに送信し（ステップＳ２１７）、ＰＤＡでは、その情報を表示画面に出力する（ステップＳ２０５）。
【０００９】
一方、プリンタが指定された場合（ステップＳ２０４，他のプリンタ、ステップＳ２１６，他のプリンタ）、サービスセンターでは、データベースに格納されているプリンタが設置されている各種施設（たとえば、コンビニ、ガソリンスタンド、ＳＡ、高速道路の料金所等）を検索して出力先候補リストを生成し、そのリストをＰＤＡに送信する（ステップＳ２１８）。つぎに、ＰＤＡでは、そのリストを表示画面に表示し（ステップＳ２０６）、使用者は、その中から出力先を選択して、出力先指定情報をサービスセンターに送信する（ステップＳ２０７）。最後に、サービスセンターでは、上記出力先指定情報を受け取り（ステップＳ２１９）、指定された出力先のプリンタに、先に作成しておいた地図または時刻表等の情報を印刷出力させる制御を行う（ステップＳ２２０）。
【００１０】
このように、従来の情報入出力システムでは、携帯情報端末（ＰＤＡ等）の使用者が移動する場合においても、サービスセンターから提供されるサービスにより、移動先の変更にあわせて出力先を選択的に変更することができ、所望の情報を、指定場所に設置されたプリンタに容易に印刷可能である。
【００１１】
【特許文献１】特開平１０−２２２５２７号公報
【発明の開示】
【発明が解決しようとする課題】
【００１２】
しかしながら、上記、従来の情報入出力システムにおいては、出力対象のプリンタ等の入出力制御装置にて本人認証を行っていないため、この端末（携帯情報端末、ＰＨＳ、携帯電話等の移動体通信端末）の操作により誰もが印刷可能となる。すなわち、移動体通信端末の使用者が、本来の端末の持ち主かどうかがわからないため、情報の安全性（セキュリティ）について信頼性を確保できない、という問題があった。
【００１３】
本発明は上記に鑑みてなされたものであって、移動体通信端末の使用者が、各種サービスを提供するホストコンピュータ内の情報を容易にアクセス可能とし、さらに、該端末の操作により入出力制御装置の使用者を認証後、該情報を容易に入出力可能な情報入出力システムを得ることを目的とする。
【００１４】
また、本発明は、移動体通信端末の使用者が、インターネット上にあるコンテンツを、インターネットに接続されているプリンタサーバやファクシミリサーバを介して任意のプリンタやファクシミリに出力することができる情報入出力システムを提供することを目的とする。
【課題を解決するための手段】
【００１５】
上述した課題を解決し、目的を達成するために、請求項１に係る情報入出力システムにあっては、移動体通信端末（後述する実施の形態の端末１に相当）と、無線伝送路を介して前記端末との通信を行い、前記端末の使用者に提供可能なサービスに関するデータベースを備え、前記使用者が前記各種サービスの提供を受けられる契約者かどうかを確認するサービス提供手段（ホストコンピュータ４、入出力用ゲートウェイサーバ５に相当）と、前記サービス提供手段からのデータを、既知の回線を介して受け取り、出力する入出力制御装置（入出力制御装置６に相当）と、を備え、前記端末と前記サービス提供手段との通信を確立後、前記端末からの操作で、前記データベース内のデータを読み出し、該データの出力を希望する前記入出力制御装置に対して認証コードを入力し、前記サービス提供手段にて前記サービスの提供を受けられる契約者として認証された場合に、前記入出力制御装置が所定のタイミングで該データを受け取り、その後、出力するものである。
【００１６】
すなわち、たとえば、端末の操作またはキーボードの操作で、入出力制御装置に対して認証コードを入力することにより、特定の認証コードを知る端末の使用者だけが、サービス提供手段に保管された所望のデータを出力する。すなわち、端末の使用者が、端末の持ち主（契約者）である場合にだけ所望のデータを出力させることができるため、従来と比較して、情報の安全性（セキュリティ）について、高い信頼性が確保される。
【００１７】
また、請求項２に係る情報入出力システムにあっては、移動体通信端末（端末１ａに相当）と、無線伝送路を介して前記端末との通信を行い、前記端末の使用者に提供可能なサービスに関するデータベースを備えたサービス提供手段（ホストコンピュータ４ａに相当）と、前記端末の使用者が前記各種サービスの提供を受けられる契約者かどうかを確認する確認手段（入出力用ゲートウェイサーバ５ａに相当）と、前記サービス提供手段内のデータを前記端末から受け取り、出力する入出力制御装置（入出力制御装置６に相当）と、を備え、前記端末と前記サービス提供手段との通信を確立後、前記端末からの操作で、前記データベース内のデータを読み出し、該データの出力を希望する前記入出力制御装置に対して認証コードを入力し、前記確認手段にて前記サービスの提供を受けられる契約者として認証された場合に、前記入出力制御装置が所定のタイミングで該データを受け取り、その後、出力するものである。
【００１８】
すなわち、端末の操作で、入出力制御装置に対して認証コードを入力することにより、特定の認証コードを知る端末の使用者だけが、端末を経由して所望のデータを出力する。すなわち、端末の使用者が、端末の持ち主（契約者）である場合にだけ所望のデータを出力させることができるため、従来と比較して、情報の安全性（セキュリティ）について、より高い信頼性が確保される。
【００１９】
また、請求項３に係る情報入出力システムにおいて、前記入出力制御装置は、前記認証後、出力コマンドが入力された時点で、前記データを受け取り、その後、出力するものである。
【００２０】
すなわち、たとえば、端末またはキーボードからの本人ＩＤが入出力制御装置に入力され、本人認証後、端末の使用者が出力コマンド（出力ジョブコード）を送信することにより、入出力制御装置が出力制御を行う。そのため、出力が必要なときにだけ出力ジョブコードを送信することとなる。
【００２１】
また、請求項４に係る情報入出力システムにあっては、予め所定の金額の入金しておく現金回収装置や、ＩＣカードや磁気カードの電子マネーを用いて課金処理を行うものである。
【００２２】
すなわち、課金処理において、たとえば、予め所定の金額の入金しておく現金回収装置や、電子マネーを用いることにより、課金を確実に行うことができる。
【００２３】
また、請求項５に係る情報入出力システムにあっては、前記端末に前記入出力制御装置の設置場所への道順を表示するものである。
【００２４】
すなわち、前記端末の表示画面に地図が表示されるため、効率良く近隣に設置された入出力制御装置を特定することができる。
【００２５】
また、請求項６に係る情報入出力システムにあっては、契約者に提供可能なサービスに関するデータベースを備え、該データベースへアクセスを行った人が前記各種サービスの提供を受けられる契約者かどうかを確認するサービス提供手段（ホストコンピュータ４、入出力用ゲートウェイサーバ５に相当）と、前記サービス提供手段からのデータを受け取り、出力する入出力制御装置（入出力制御装置６に相当）と、を備え、前記入出力制御装置からの操作で、前記データベース内のデータを読み出し、該データの出力を希望する前記入出力制御装置に対して認証コードを入力し、前記サービス提供手段にて前記サービスの提供を受けられる契約者として認証された場合に、前記入出力制御装置が該データを受け取り、その後、出力するものである。
【００２６】
すなわち、キーボードの操作で、入出力制御装置に対して認証コードを入力することにより、特定の認証コードを知る入出力制御装置の使用者だけが、サービス提供手段内のデータを出力する。すなわち、入出力制御装置の使用者が、サービス提供手段内のデータをアクセス可能な契約者である場合にだけ所望のデータを出力させることができるため、情報の安全性（セキュリティ）について、高い信頼性が確保される。
【００２７】
また、請求項７に係る情報入出力システムにあっては、データ入力用の装置で取り込んだデータを入力可能とし、内部に取り込まれたデータをデータ出力用の装置に出力可能とする複数の入出力制御装置（入出力制御装置６ａ，６ｂに相当）と、前記複数の入出力制御装置の使用者が、複数の入出力制御装置間の通信が可能な契約者かどうかを確認する確認手段（入出力ゲートウェイサーバ５に相当）と、を備え、出力を希望するある特定の入出力制御装置に対して認証コードを入力し、前記確認手段にて入出力制御装置間の通信が可能な契約者として認証された場合に、所望の入出力制御装置からデータを受け取り、その後、出力するものである。
【００２８】
すなわち、キーボードの操作で、入出力制御装置に対して認証コードを入力することにより、特定の認証コードを知る入出力制御装置の使用者だけが、他の入出力制御装置内のデータを出力する。すなわち、特定の入出力制御装置の使用者が、他の入出力制御装置内のデータをアクセス可能な契約者である場合にだけ所望のデータを出力させることができるため、情報の安全性（セキュリティ）について、高い信頼性が確保される。
【００２９】
また、請求項８に係る情報入出力システムにあっては、前記出力されるデータが、新聞または出版物に関するデータであるものである。すなわち、入出力制御装置では、出力のための外部機器として、たとえば、プリンタや記憶装置（メモリ）を備えることになる。
【００３０】
また、請求項９に係る情報入出力システムにあっては、前記出力されるデータが、音源データであるものである。すなわち、入出力制御装置では、出力のための外部機器として、たとえば、音源データ再生装置や記憶装置（メモリ）を備えることになる。
【００３１】
また、請求項１０に係る情報入出力システムにあっては、前記出力されるデータが、静止画像データおよび動画データであるものである。すなわち、入出力制御装置では、出力のための外部機器として、たとえば、カラープリンタ、デジタルカメラ、記憶装置（メモリ）を備えることになる。
【００３２】
また、請求項１１に係る移動体通信端末にあっては、データの出力を希望する入出力制御装置に対して、使用者を認証するための認証コードを、無線伝送路を介してまたは既知のケーブルを用いて、入力するものである。すなわち、端末の操作で、入出力制御装置に対して認証コードを入力する。そのため、端末の使用者が、端末の持ち主（契約者）である場合にだけ所望のデータを出力させることができる。
【００３３】
また、請求項１２に係る入出力制御装置にあっては、移動体通信端末から、出力コマンドが入力された時点で、データを受け取り、同時に、予め所定の金額の入金しておく現金回収装置や、ＩＣカードや磁気カードの電子マネーを用いて課金処理を開始するものである。すなわち、課金処理において、たとえば、予め所定の金額の入金しておく現金回収装置や、電子マネーを用いることにより、課金を確実に行うことができる。
【００３４】
また、請求項１３に係る情報入出力システムは、インターネット（１０６）に接続でき、プリントすべきコンテンツを特定するドキュメントＩＤおよび印刷する装置（ファクシミリ１１０，プリンタ１１２に相当）を特定する印刷出力先ＩＤを少なくとも含むプリント要求データを送出する端末（端末１、すなわち携帯電話やＰＤＡなどの移動体通信端末）と、インターネット（１０６）に接続されたプリント要求管理サーバ（１０５），プリンタサーバ（１０８，１０８’），およびファクシミリサーバ（１０７，１０７’）と、前記プリンタサーバ（１０８，１０８’）に接続されたプリンタ（１１２）と、前記ファクシミリサーバ（１０７，１０７’）に接続されたファクシミリ（１１０）からなり、プリント要求管理サーバ（１０５）は、端末（１）から送信されたプリント要求データに含まれる「印刷出力先ＩＤ」を解析して得られた出力先に従って適当なファクシミリサーバまたはプリンタサーバへ印刷要求を送信することを特徴とするものである。例えば、出力先のファクシミリ番号の市外局番に従って近いファクシミリサーバを選択する。または出力先のプリンタのドメイン名、ＩＰアドレスに従って同じあるいは近いドメイン内にあるプリンタサーバを選択する。
【００３５】
また、請求項１４に係る情報入出力システムは、前記プリント要求管理サーバが課金情報を管理する。課金情報は、例えば当該情報入出力システムの使用料、コンテンツの著作権に対する使用料、出力装置へデータを送信する際の通信料などである。課金方法は定額制度、従量制度のいずれの方式でも構わない。
【００３６】
プリント要求管理サーバは、プリント要求データに含まれる「ドキュメントID」に関連付けられた課金情報、例えばコンテンツの著作権に対する使用料等が存在する場合は、その課金情報をプリント要求データと関連付けてこれを保持する。またファックスサーバへ印刷指示を行った後、ファックスサーバが送信ステータスとして「成功」を返した場合は、ファックス通信に関する課金情報、例えば通話料をプリント要求データと関連付けてこれを保持する。あるいはファックスサーバが送信ステータスとして「失敗」を返した場合には、当印刷要求に関する課金情報を破棄する。このとき情報入出力システムの利用料等、当印刷要求と直接関連のない課金情報は破棄してもしなくてもよい。
【００３７】
また、請求項１５に係る情報入出力システムは、前記ファクシミリサーバ（１０７など）およびプリンタサーバ（１０８など）が受信したプリント要求データに含まれる「ドキュメントＩＤ」を解析し、当該ファクシミリサーバまたはプリンタサーバ内に含まれるデータであればそれを取得し、なければインターネット（１０６）上のデータを取得することを特徴とするものである。
【００３８】
例えば、ドキュメントＩＤがＵＲＬの場合、“http://”で始まればインターネット上を検索し、データを取得する。“file:/”で始まれば、サーバ自身の持つデータ保持部（ディスク）等からデータを取得する。
【００３９】
また、請求項１６に係る情報入出力システムにおいては、前記ファクシミリサーバ（１０７など）または前記プリンタサーバ（１０８など）が、取得したデータを変換した後にファクシミリまたはプリンタへ送信することを特徴とするものである。例えば、ファクシミリサーバの場合、得られたＨＴＭＬ（ハイパーテキスト）ファイル、画像ファイル等をＧ３ファックス形式に変換する。
【００４０】
また、請求項１７に係る情報入出力システムは、前記プリンタ要求データがさらに「印刷時刻」を含み、プリント要求管理サーバ（１０５）が該「印刷時刻」に従って、プリント要求をファクシミリサーバ（１０７など）またはプリンタサーバ（１０８など）へ送信することを特徴とするものである。
【００４１】
プリント要求管理サーバ（１０５）が指定された「印刷時刻」に、「印刷時刻」を「ただちに」としてファックスサーバあるいはプリンタサーバへ送信する方法と、プリント要求管理サーバが「印刷時刻」を含む印刷指示をファックスサーバあるいはプリンタサーバへ送信し、印刷指示を受信したファックスサーバあるいはプリンタサーバが指示された「印刷時刻」にファックスあるいはプリンタへの印刷を開始する方法がある。
【００４２】
また、請求項１８に係る情報入出力システムにおいては、前記プリンタサーバ（１０８など）がファイヤウォール（防火壁）により保護されているＬＡＮ内に存在し、プリント要求管理サーバ（１０５）が、防火壁を通過できるプロトコル形式（例えば、電子メール）でプリント要求を送信することを特徴とするものである。
【００４３】
また、請求項１９に係る情報入出力システムにおいては、印刷出力先のファクシミリ（１１０）からファクシミリサーバ（１０７など）へ回線を確保した後に、該ファクシミリサーバ（１０７など）により当該ファクシミリ（１１０）へ印刷データを送信することを特徴とするものである。これにより、印刷先のファクシミリに課金することができる。
【００４４】
また、請求項２０に係る情報入出力システムにおいては、ファクシミリサーバ（１０７など）あるいはプリンタサーバ（１０８など）が、プリント要求データ内の「印刷出力先ＩＤ」を解析し、該解析結果に従って出力すべきファクシミリ（１１０）を選択することを特徴とするものである。これは、例えばインターネットファクシミリに対応するものである。その他は電話回線網を使用する。
【００４５】
また、請求項２１に係る情報入出力システムにおいては、ファクシミリサーバ（１０７など）あるいはプリンタサーバ（１０８など）が、プリント要求データ内の「ドキュメントＩＤ」で示されるドキュメントのデータの全部あるいは一部を取得し、そのドキュメントデータ内に「出力用ドキュメントＩＤ」が指定されているかどうかを解析する。解析の結果、ドキュメント内に「出力用ドキュメントＩＤ」が指定されている場合には、「ドキュメントＩＤ」で指定されたドキュメントの代わりに「出力用ドキュメントＩＤ」で指定された出力用代替データを出力する。
【００４６】
また、請求項２２に係る端末は、インターネットに接続でき、出力すべきドキュメントを特定するドキュメントＩＤおよび出力先装置を特定する出力先ＩＤを少なくとも含むプリント要求データを送出するようにしたものである。これによって、端末の操作により、所望のドキュメントを所望の出力先装置に出力することが可能になる。
【発明の効果】
【００４７】
以上、説明したとおり、本発明の情報入出力システム（請求項１）によれば、たとえば、端末の操作またはキーボードの操作で、入出力制御装置に対して認証コードを入力することにより、特定の認証コードを知る端末の使用者だけが、サービス提供手段に保管された所望のデータを出力する。すなわち、端末の使用者が、端末の持ち主（契約者）である場合にだけ所望のデータを出力させることができるため、従来と比較して、情報の安全性（セキュリティ）について、高い信頼性が確保される。これにより、端末の使用者が、サービス提供手段内の情報を容易にアクセスすることができ、さらに、情報の安全性を確保しつつ、該情報を容易に外部機器に出力可能な情報入出力システムを得ることができる、という効果を奏する。
【００４８】
また、本発明の情報入出力システム（請求項２）によれば、端末の操作で、入出力制御装置に対して認証コードを入力することにより、特定の認証コードを知る端末の使用者だけが、端末を経由して所望のデータを出力する。すなわち、端末の使用者が、端末の持ち主（契約者）である場合にだけ所望のデータを出力させることができるため、従来と比較して、情報の安全性（セキュリティ）について、より高い信頼性が確保される。これにより、端末の使用者が、サービス提供手段内の情報を容易にアクセスすることができ、さらに、情報の安全性を確保しつつ、該情報を容易に外部機器に出力可能な情報入出力システムを得ることができる、という効果を奏する。
【００４９】
また、本発明の情報入出力システム（請求項３）によれば、たとえば、端末またはキーボードからの本人ＩＤが入出力制御装置に入力され、本人認証後、端末の使用者が出力コマンド（出力ジョブコード）を送信することにより、入出力制御装置が出力制御を行う。そのため、出力が必要なときにだけ出力ジョブコードを送信することとなり、それに伴って、通信料金の無駄をなくすことができる、という効果を奏する。
【００５０】
また、本発明の情報入出力システム（請求項４）によれば、課金処理において、たとえば、予め所定の金額の入金しておく現金回収装置や、電子マネーを用いることにより、課金を確実に行うことができる、という効果を奏する。
【００５１】
また、本発明の情報入出力システム（請求項５）によれば、前記端末の表示画面に地図が表示されるため、効率良く近隣に設置された入出力制御装置を特定することができる、という効果を奏する。
【００５２】
また、本発明の情報入出力システム（請求項６）によれば、キーボードの操作で、入出力制御装置に対して認証コードを入力することにより、特定の認証コードを知る入出力制御装置の使用者だけが、サービス提供手段内のデータを出力する。すなわち、入出力制御装置の使用者が、サービス提供手段内のデータをアクセス可能な契約者である場合にだけ所望のデータを出力させることができるため、情報の安全性（セキュリティ）について、高い信頼性が確保される。これにより、入出力制御装置の使用者が、サービス提供手段内の情報を容易にアクセスすることができ、さらに、情報の安全性を確保しつつ、該情報を容易に外部機器に出力可能な情報入出力システムを得ることができる、という効果を奏する。
【００５３】
また、本発明の情報入出力システム（請求項７）によれば、キーボードの操作で、入出力制御装置に対して認証コードを入力することにより、特定の認証コードを知る入出力制御装置の使用者だけが、他の入出力制御装置内のデータを出力する。すなわち、特定の入出力制御装置の使用者が、他の入出力制御装置内のデータをアクセス可能な契約者である場合にだけ所望のデータを出力させることができるため、情報の安全性（セキュリティ）について、高い信頼性が確保される。これにより、特定の入出力制御装置の使用者が、他の入出力制御装置内の情報を容易にアクセスすることができ、さらに、情報の安全性を確保しつつ、該情報を容易に外部機器に出力可能な情報入出力システムを得ることができる、という効果を奏する。
【００５４】
また、本発明の情報入出力システム（請求項８）によれば、入出力制御装置では、出力のための外部機器として、たとえば、プリンタや記憶装置（メモリ）等を備えることになる。これにより、新聞または出版物を、検索した新聞または出版物をすぐに読むことができ、さらに、保存しておくこともできる、という効果を奏する。
【００５５】
また、本発明の情報入出力システム（請求項９）によれば、入出力制御装置では、出力のための外部機器として、たとえば、音源データ再生装置や記憶装置（メモリ）等を備えることになる。これにより、受け取った音源データからすぐに音楽を再生することができ、さらに、保存しておくこともできる、という効果を奏する。
【００５６】
また、本発明の情報入出力システム（請求項１０）によれば、入出力制御装置では、出力のための外部機器として、たとえば、カラープリンタ、デジタルカメラ、記憶装置（メモリ）等を備えることになる。これにより、受け取った写真や映像をすぐに再生することができ、さらに、保存しておくこともできる、という効果を奏する。
【００５７】
また、本発明の移動体通信端末（請求項１１）によれば、端末の操作で、入出力制御装置に対して認証コードを入力する。これにより、端末の使用者が、端末の持ち主（契約者）である場合にだけ所望のデータを出力させることができるため、情報の安全性（セキュリティ）について、高い信頼性を確保することができる、という効果を奏する。
【００５８】
また、本発明の入出力制御装置（請求項１２）によれば、課金処理において、たとえば、予め所定の金額の入金しておく現金回収装置や、電子マネーを用いることにより、課金を確実に行うことができる、という効果を奏する。
【００５９】
また、本発明の情報入出力システム（請求項１３）によれば、プリント要求管理サーバが最適な出力サーバを選択して印刷要求を送信することが可能となるため、出力装置との物理的距離の近い出力サーバを選択することで通信料を下げる、あるいは出力速度を上げる、といった効果を奏する。
【００６０】
また、本発明の情報入出力システム（請求項１４）によれば、プリント要求管理サーバが、プリント要求データ毎に、コンテンツに関連する課金情報と、ファクシミリサーバ等から返信される出力結果のステータスに従った通信料等の課金情報とを管理することにより、使用者へ公正な課金を行うことが可能となる、という効果を奏する。
【００６１】
また、本発明の情報入出力システム（請求項１５）によれば、ドキュメントＩＤを解析することにより、同じ表記方法でローカルサーバに存在するコンテンツやキャッシュ、インターネット上に存在するコンテンツとを指示することが可能となり、システムを簡略化できる、という効果を奏する。
【００６２】
また、本発明の情報入出力システム（請求項１６）によれば、ドキュメントを出力装置へ送信する前にデータを変換することにより、様々な異なる形式（フォーマット）のドキュメントを同一の出力装置へ出力することが可能となる、という効果を奏する。
【００６３】
また、本発明の情報入出力システム（請求項１７）によれば、ドキュメントを出力装置へ送信する時刻を指定でき、望ましい時刻に出力を得られる、という効果を奏する。
【００６４】
また、本発明の情報入出力システム（請求項１８）によれば、従来の方法では印刷することが不可能であるファイヤフォール内のネットワークプリンタ等の出力機器への出力が可能となる、という効果を奏する。
【００６５】
また、本発明の情報入出力システム（請求項１９）によれば、受信側のファクシミリへ通信料の課金を行うことが可能となる、という効果を奏する。
【００６６】
また、本発明の情報入出力システム（請求項２０）によれば、公衆電話回線網等を利用する通常のファクシミリとインターネットを利用するインターネットファクシミリとの両方の機器への送信が可能となる、という効果を奏する。
【００６７】
また、本発明の情報入出力システム（請求項２１）によれば、端末表示用のデータの代替データとして、出力機器に合わせて最適化された出力用データを出力用に用いることが可能となる、という効果を奏する。
【００６８】
また、本発明の端末（請求項２２）によれば、端末の操作で、プリント要求管理サーバへプリント要求データを入力する。これにより、端末の使用者が、出力したいドキュメントを出力させたい出力機器へ出力を行うことができる、という効果を奏する。
【発明を実施するための最良の形態】
【００６９】
以下に、本発明の情報入出力システムの実施の形態を図面に基づいて詳細に説明する。なお、この実施の形態により本発明が限定されるものではない。
【００７０】
＜実施の形態１＞
図１は、本発明にかかる情報入出力システムの実施の形態１の構成を示す図である。図１において、１は、表示画面の操作により、各種サービスを提供するホストコンピュータの情報を容易にアクセス可能とし、さらに、操作を行う使用者が、該情報をアクセス可能な使用者かどうかを認証するための認証コードを後述する入出力制御装置に対して送信する、携帯情報端末、ＰＨＳ、および携帯電話等の移動体通信端末（以降、単に端末１と呼ぶ）である。なお、ここでいう携帯電話は、たとえば、ＦＤＭＡ（Frequency Division Multiple Access）、ＴＤＭＡ（Time Division Multiple Access）、またはＣＤＭＡ（Code Division Multiple Access）の通信方式を採用したものである。
【００７１】
また、２は無線伝送路を介して端末１との通信を行う無線基地局（以降、単に基地局２と呼ぶ）であり、３は端末１からの発信先に応じて接続先を割り振る移動通信制御局（または移動通信制御局内のコンピュータ）であり、４は端末１の使用者に提供可能なサービスに関するデータベースを備えたホストコンピュータであり、５はホストコンピュータ４からのデータを保管してそのデータを回線接続（一般電話回線、ＩＳＤＮ回線、専用線等）された外部機器に送信する入出力用ゲートウェイサーバであり、６は入出力用ゲートウェイサーバ５からのデータに基づいて外部装置（プリンタ等）を制御する入出力制御装置である。
【００７２】
なお、本実施の形態の入出力制御装置６において、「入力」とは、スキャナおよびデジタルカメラ等の入力装置や、有線または無線を利用した外部の通信機器等、からの情報の入力を示すものであり、「出力」とは、プリンタ、記録媒体、画像処理装置、音源データ再生装置、および有線または無線を利用した外部の通信機器等、への情報の出力を示すものである。また、上記ホストコンピュータ４からのデータは、テキストデータ（新聞または出版物等）、バイナリデータ、ファックスデータ、画像データ（写真、ビデオ映像等）、または音源データ等である。また、入出力制御装置６は、移動可能な端末１に対応して複数の場所に設置されていることから、本実施の形態では、移動先の変更にあわせて近隣の入出力制御装置に所望のデータを出力する。
【００７３】
また、図２は、上記入出力制御装置６内の詳細な構成、および入出力制御装置６周辺の構成を示す図である。図２において、６１は入出力制御装置６の動作を制御する制御部であり、６２は入出力用ゲートウェイサーバ５との送受信を行う通信インターフェースであり、６３はＦＤおよびＭＯ等にデータを記憶するための書込／読出インターフェースであり、６４は端末１との通信を行う携帯用インターフェースであり、６５はプリンタ（またはその他の情報出力用の外部機器）に接続されるプリンタインターフェースであり、６６はスキャナ（またはその他の情報入力用の外部機器）に接続されるスキャナインターフェースである。
【００７４】
以下、上記のように構成される情報入出力システムの動作を図３、図４、図５、および図６にしたがって説明する。なお、図３は、端末１の処理フローチャート（第１次制御および第２次制御に対応）を示す図であり、図５は、情報入出力システムにおける第１次制御および第２次制御の動作を示す図である。具体的にいうと、ここでは、端末１の使用者が、表示画面を操作することにより、各種サービスを提供するホストコンピュータ４内の情報を、入出力ゲートウェイサーバ５に送信するまでの動作を示す。
【００７５】
また、図４は、端末１の処理（第３次制御に対応）および課金処理のフローチャートを示す図であり、図６は、情報入出力システムにおける第３次制御の動作を示す図である。具体的にいうと、ここでは、端末１を操作することにより、端末１の使用者を認証後、入出力ゲートウェイサーバ５に保管された情報を、入出力制御装置６に送信し、入出力制御装置６が、受け取った情報をプリンタ等の外部機器に出力するまでの動作を示す。
【００７６】
まず、第１次制御として、たとえば、端末１の使用者は、表示画面に表示されたメニューの中から所望の処理（大項目：銀行へのアクセス、チケットまたは航空券の購入等）を選択し（ステップＳ１）、つぎの操作に移行する（ステップＳ２，Ｙｅｓ）。なお、つぎの操作に移行しない場合（ステップＳ２，Ｎｏ）は、ここで、処理を終了する。ここでは、端末１とホストコンピュータ４が基地局２および移動通信制御局を介して通信を行うことになり、以降、端末１では、ホストコンピュータ４の制御によるメニューを選択する。
【００７７】
つぎに、第２次制御として、たとえば、端末１の使用者は、ホストコンピュータ４からの制御で表示画面に表示されたメニューの中から所望の処理（小項目：出力する情報および画面表示、または出力する情報およびプリントアウト等）を選択し（ステップＳ３）、つぎの操作に移行する（ステップＳ４，Ｙｅｓ）。
【００７８】
このとき、端末１からは、たとえば、選択項目の１つである「プリントアウト」に対応する入出力用ゲートウェイサーバ５のアドレスが送信される（ステップＳ２１）。そして、このアドレスを受け取ったホストコンピュータ４では、該アドレスに対応する入出力用ゲートウェイサーバ５に対して、プリントアウトを行うときに必要となる出力ジョブコードを要求する（ステップＳ２２）。
【００７９】
その後、この要求を受け取った入出力用ゲートウェイサーバ５では、プリントアウト処理に対応する出力ジョブコードを発行する（ステップＳ２３）。出力ジョブコードを受け取ったホストコンピュータ４では、たとえば、出力する情報が格納された場所を示すＵＲＬ（Uniform Resource Locator）を、入出力用ゲートウェイサーバ５に対して送信する（ステップＳ２４）。そして、第２次制御の最後の処理として、入出力用ゲートウェイサーバ５では、ＵＲＬに基づいて出力対象のデータをデータベースから読み出し、そのデータを一時的に保存し（ステップＳ２５）、ホストコンピュータ４は、端末１に対して、プリント枚数、データ量、および出力ジョブコード等の情報を表示するための制御を行う（ステップＳ２６）。なお、ステップＳ４の処理において、たとえば、操作を途中で停止するような場合（ステップＳ４，Ｎｏ）には、ここで、処理を終了する。
【００８０】
つぎに、第３次制御として、端末１の使用者は、端末１の操作またはキーボード１３の操作により、入出力制御装置６に対して、本人ＩＤ（たとえば、暗証番号や自分の電話番号等）を入力する（ステップＳ１１，ステップＳ３１）。このとき、入出力制御装置６では、受け取った本人ＩＤを入出力用ゲートウェイサーバ５に送信する（ステップＳ３２）。ここで、入出力用ゲートウェイサーバ５は、受け取った本人ＩＤと、内部に予め登録してあるＩＤと、を比較し、一致した場合（ステップＳ１２，Ｙｅｓ）に、端末１の使用者が先に保管しておいたデータをアクセス可能であることを認証する（ステップＳ３３）。なお、一致しない場合（ステップＳ１２，Ｎｏ）には、端末１にエラーを表示する制御を行い（ステップＳ１３）、再度、本人ＩＤの入力処理を行う（ステップＳ１１）。
【００８１】
そして、入出力ゲートウェイサーバ５による認証後、端末１の使用者は、先に第２次制御にて表示された出力ジョブコードを、端末１の操作またはキーボード１３の操作により、入出力制御装置６に対して送信する（ステップＳ１４，ステップＳ３４）。このとき、入出力制御装置６では、受け取った出力ジョブコードを入出力用ゲートウェイサーバ５に送信する（ステップＳ３５）。
【００８２】
ここで、入出力用ゲートウェイサーバ５は、受け取った出力ジョブコードと、第２次制御にて受け取った出力ジョブコードと、を比較し、一致した場合（ステップＳ１５，Ｙｅｓ）に、入出力制御装置６にて出力処理に伴う課金処理を行う（ステップＳ１７）。そして、第３次制御の最後の処理として、入出力制御装置６では、先に入出力用ゲートウェイサーバ５に保管しておいたデータを読み出し、最も近隣に設置されたプリンタ等の外部機器に出力（印刷）する（ステップＳ１８，ステップＳ３６）。なお、ここでは、最も近隣に設置されたプリンタを特定するため、たとえば、端末１に設置場所への道順を表示することとしてもよい。また、ステップＳ１５の処理において、一致しない場合（ステップＳ１５，Ｎｏ）には、端末１にエラーを表示する制御を行い（ステップＳ１６）、再度、出力ジョブコードの入力処理を行う（ステップＳ１４）。
【００８３】
なお、本実施の形態においては、端末１の操作およびキーボードの操作により本人ＩＤの入力を行ったが、これに限らず、たとえば、図２に示す磁気カードやＩＣカードを用いて本人ＩＤの入力を行うこととしてもよい。また、本実施の形態における課金処理は、たとえば、予め所定の金額の入金しておく現金回収装置１５を用いることとしてもよいし、電子マネーを用いることとしてもよい。また、本実施の形態における第２次制御では、図６に示すとおり、ＵＲＬに基づいて出力対象のデータを入出力ゲートウェイサーバ５に取り込むが、この方法に限らず、すなわち、ＵＲＬによらず、たとえば、図７に示すように、端末１からの操作により、直接、ホストコンピュータ４が入出力用ゲートウェイサーバ５に、出力対象のデータを送信する（ステップＳ２７）こととしてもよい。また、移動通信制御局３およびホストコンピュータ４については、一体型の構成であってもよい。
【００８４】
以上、本実施の形態によれば、端末１の操作およびキーボード１３の操作で、入出力制御装置６に対して本人ＩＤを入力することにより、特定の本人ＩＤを知る端末１の使用者だけが、入出力用ゲートウェイサーバ５に保管された所望のデータを出力（印刷）可能である。すなわち、端末１の使用者が、端末１の持ち主（契約者）である場合にだけ所望のデータを出力させることができるため、従来と比較して、情報の安全性（セキュリティ）について、高い信頼性を確保することができる。これにより、本実施の形態では、端末１の使用者が、各種サービスを提供するホストコンピュータ４内の情報を容易にアクセスすることができ、さらに、情報の安全性を確保しつつ、該情報を容易に外部機器に出力させることができる。
【００８５】
また、本実施の形態によれば、端末１またはキーボード１３からの本人ＩＤが入出力制御装置６に入力され、本人認証後、端末１の使用者が出力ジョブコードを送信することにより、入出力制御装置６が出力制御を行う。そのため、本実施の形態では、出力が必要なときにだけ出力ジョブコードを送信することとなり、
それに伴って、通信料金の無駄がなくなる。
【００８６】
また、本実施の形態によれば、課金処理において、たとえば、予め所定の金額の入金しておく現金回収装置１５や、電子マネーを用いることにより、課金を確実に行うことができる。
【００８７】
＜実施の形態２＞
図８は、本発明にかかる情報入出力システムの実施の形態２の構成を示す図である。図８において、１ａは、実施の形態１と同様のものであり、表示画面の操作により、各種サービスを提供するホストコンピュータの情報を容易にアクセス可能とし、さらに、操作を行う使用者が、該情報をアクセス可能な使用者かどうかを認証するための認証コードを後述する入出力制御装置に対して送信する、携帯情報端末、ＰＨＳ、および携帯電話等の移動体通信端末（以降、単に端末１と呼ぶ）である。端末１ａにおいて、実施の形態１の端末１と異なる点は、たとえば、出力（印刷）処理を行う場合、直接、ホストコンピュータから出力対象のデータを受け取り、そのデータを入出力制御装置に送信する点である。
【００８８】
また、４ａは端末１の使用者に提供可能なサービスに関するデータベースを備え、前記出力対象となるデータを、移動通信制御局３および基地局２を介して、端末１ａに送信するホストコンピュータであり、５ａは回線接続（一般電話回線、ＩＳＤＮ回線、専用線等）された入出力制御装置６との間で本人認証を行う入出力用ゲートウェイサーバである。なお、その他の構成については、先に説明した実施の形態１の構成と同様であるため、同一の符号を付して説明を省略する。
【００８９】
以下、上記のように構成される情報入出力システムの動作を説明する。なお、第１次制御については、先に説明した実施の形態１と同様であるため、説明を省略する。第２次制御として、たとえば、端末１ａの使用者は、ホストコンピュータ４ａからの制御で表示画面に表示されたメニューの中から所望の処理（小項目：出力する情報および画面表示、または出力する情報およびプリントアウト等）を選択する。
【００９０】
このとき、端末１ａからは、たとえば、選択項目の１つである「プリントアウト」に対応するコマンドが送信される。そして、このコマンドを受け取ったホストコンピュータ４ａでは、出力対象となるデータをデータベースから読み出し、端末１ａに対して送信する。最後に、ホストコンピュータ４ａは、端末１ａに対して、プリント枚数、およびデータ量等の情報を送信する。
【００９１】
つぎに、第３次制御として、端末１ａの使用者は、端末１ａの操作またはキーボード１３の操作により、入出力制御装置６に対して、本人ＩＤ（たとえば、暗証番号や自分の電話番号等）を入力する。このとき、入出力制御装置６では、受け取った本人ＩＤを入出力用ゲートウェイサーバ５ａに送信する。ここで、入出力用ゲートウェイサーバ５ａは、受け取った本人ＩＤと、内部に予め登録してあるＩＤと、を比較し、一致した場合に、端末１ａの使用者が先に保管しておいたデータをアクセス可能であることを認証する。なお、一致しない場合には、端末１ａにエラーを表示する制御を行い、再度、本人ＩＤの入力処理を行う。
【００９２】
そして、入出力ゲートウェイサーバ５ａによる認証後、端末１ａの使用者は、先に第２次制御にて保管しておいたデータを、端末１ａの操作により、入出力制御装置６に対して送信する。このとき、入出力制御装置６では、出力処理に伴う課金処理（実施の形態１と同様の方法で行う）を行う。その後、第３次制御の最後の処理として、入出力制御装置６では、端末１ａからのデータを、近隣に設置されたプリンタ等の外部機器に出力（印刷）する。なお、本実施の形態においては、上記に示す本人認証処理に限らず、たとえば、実施の形態１にて説明した方法を用いて処理を行うこととしてもよい。
【００９３】
以上、本実施の形態によれば、端末１ａの操作で、入出力制御装置６に対して本人ＩＤを入力することにより、特定の本人ＩＤを知る端末１ａの使用者だけが、所望のデータを出力（印刷）可能である。すなわち、端末１ａの使用者が、端末１ａの持ち主（契約者）である場合にだけ所望のデータを出力させることができるため、従来と比較して、情報の安全性（セキュリティ）について、より高い信頼性を確保することができる。これにより、本実施の形態では、端末１ａの使用者が、各種サービスを提供するホストコンピュータ４ａ内の情報を容易にアクセスすることができ、さらに、情報の安全性を確保しつつ、該情報を容易に外部機器に出力させることができる。
【００９４】
また、本実施の形態によれば、端末１ａまたはキーボード１３からの本人ＩＤが入出力制御装置６に入力され、本人認証後、端末１ａの使用者が所望のデータを送信することにより、入出力制御装置６が出力制御を行う。そのため、本実施の形態では、出力が必要なときにだけ所望のデータを送信することとなり、それに伴って、通信料金の無駄がなくなる。
【００９５】
また、本実施の形態によれば、課金処理において、たとえば、予め所定の金額を入金しておく現金回収装置１５や、電子マネーを用いることにより、課金を確実に行うことができる。
【００９６】
＜実施の形態３＞
図９は、本発明にかかる情報入出力システムの実施の形態３の構成を示す図である。なお、図９に用いられている各部の動作については、先に説明した実施の形態１と同様であるため、同一の符号を付して説明を省略する。
【００９７】
以下、上記のように構成される情報入出力システムの動作を説明する。本実施の形態において、ホストコンピュータ４内のデータを出力する場合は、まず、入出力装置６が、キーボード１３の操作により、入出力用ゲートウェイサーバ５に対して、本人ＩＤ（たとえば、暗証番号等）を入力する。このとき、入出力用ゲートウェイサーバ５では、受け取った本人ＩＤと、内部に予め登録してあるＩＤと、を比較し、一致した場合に、ホストコンピュータ１内のデータへのアクセスを認証する。なお、一致しない場合には、入出力制御装置６にエラーを表示する制御を行い、再度、本人ＩＤの入力処理を行う。
【００９８】
そして、入出力ゲートウェイサーバ５による認証後、入出力制御装置６の使用者は、キーボード１３の操作により、入出力用ゲートウェイサーバ５に対して所望のデータを要求する。ここで、入出力用ゲートウェイサーバ５は、ホストコンピュータ内のデータを読み出し、そのデータを入出力制御装置６に送信する制御を行う。最後に、入出力制御装置６では、近隣に設置されたプリンタ等の外部機器に受け取ったデータを出力（印刷）する。なお、本実施の形態においては、キーボード１３の操作により本人ＩＤの入力を行ったが、これに限らず、たとえば、図２に示す磁気カードやＩＣカードを用いて本人ＩＤの入力を行うこととしてもよい。
【００９９】
以上、本実施の形態によれば、キーボード１３の操作で、入出力制御装置６に対して本人ＩＤを入力することにより、特定の本人ＩＤを知る入出力制御装置６の使用者だけが、ホストコンピュータ４内のデータを出力（印刷）可能である。すなわち、入出力制御装置６の使用者が、ホストコンピュータ４内のデータをアクセス可能な契約者である場合にだけ所望のデータを出力させることができるため、情報の安全性（セキュリティ）について、高い信頼性を確保することができる。これにより、本実施の形態では、入出力制御装置６の使用者が、各種サービスを提供するホストコンピュータ４内の情報を容易にアクセスすることができ、さらに、情報の安全性を確保しつつ、該情報を容易に外部機器に出力させることができる。
【０１００】
＜実施の形態４＞
図１０は、本発明にかかる情報入出力システムの実施の形態４の構成を示す図である。なお、図１０に用いられている入出力制御装置６ａ，６ｂおよび入出力用ゲートウェイサーバ５の動作については、先に説明した実施の形態１と同様である。
【０１０１】
以下、上記のように構成される情報入出力システムの動作を説明する。ここでは、たとえば、スキャナ１２で取り込んだ入出力制御装置６ｂ内のデータを、入出力制御装置６ａにてプリントアウトする動作を説明する。まず、入出力装置６ａが、キーボード１３の操作により、入出力用ゲートウェイサーバ５に対して、本人ＩＤ（たとえば、暗証番号等）を入力する。このとき、入出力用ゲートウェイサーバ５では、受け取った本人ＩＤと、内部に予め登録してあるＩＤと、を比較し、一致した場合に、入出力制御装置６ｂ内のデータへのアクセスを認証する。なお、一致しない場合には、入出力制御装置６ａにエラーを表示する制御を行い、再度、本人ＩＤの入力処理を行う。
【０１０２】
そして、入出力ゲートウェイサーバ５による認証後、入出力制御装置６ａの使用者は、キーボード１３の操作により、入出力用ゲートウェイサーバ５に対して所望のデータを要求する。ここで、入出力用ゲートウェイサーバ５は、入出力制御装置６ｂ内のデータを読み出し、そのデータを入出力制御装置６ａに送信する制御を行う。最後に、入出力制御装置６ａでは、近隣に設置されたプリンタ等の外部機器に受け取ったデータを出力（印刷）する。なお、本実施の形態においては、キーボード１３の操作により本人ＩＤの入力を行ったが、これに限らず、たとえば、図２に示す磁気カードやＩＣカードを用いて本人ＩＤの入力を行うこととしてもよい。
【０１０３】
以上、上記実施の形態によれば、キーボード１３の操作で、入出力制御装置６ａに対して本人ＩＤを入力することにより、特定の本人ＩＤを知る入出力制御装置６ａの使用者だけが、入出力制御装置６ｂ内のデータを出力（印刷）可能である。すなわち、入出力制御装置６ａの使用者が、入出力制御装置６ｂ内のデータをアクセス可能な契約者である場合にだけ所望のデータを出力させることができるため、情報の安全性（セキュリティ）について、高い信頼性を確保することができる。これにより、本実施の形態では、入出力制御装置６ａの使用者が、入出力制御装置６ｂ内の情報を容易にアクセスすることができ、さらに、情報の安全性を確保しつつ、該情報を容易に外部機器に出力させることができる。
【０１０４】
＜実施の形態５＞
図１１は、本発明にかかる情報入出力システムの実施の形態５の構成を示す図である。図１１において、１０１は表示画面の操作により、指定したファクシミリまたはプリンタに指定したドキュメントを出力させるコマンダとして機能する携帯電話やＰＤＡ（Personal Digital Assistants）などの移動体通信端末（以降、単に端末１０１と呼ぶ）であり、実施の形態１における端末１と同様のものである。
【０１０５】
１０２は無線パケット網、１０３はゲートウェイ、１０４はＩＳＰ（Internet Service Provider）、１０５はプリント要求管理サーバ、１０６はインターネットなどのネットワーク、１０７および１０７’はファクシミリサーバ、１０８および１０８’はプリンタサーバ、１０９は公衆電話回線やＩＳＤＮ（Integrated Services Digital Network）、１１０はファクシミリ装置、１１１はＬＡＮ（local Area Network）、１１２はプリンタ、１１３はファイアウォール（fire wall：防火壁）である。
【０１０６】
なお、１１２はインターネットファクシミリであっても構わない。また、以降の実施の形態では端末１０１を利用した例を示すが、端末は無線パケット網に接続された移動体通信端末には限らず、ＩＳＰ１０４に接続されるパーソナルコンピュータやワークステーション、モデムで接続されたＰＤＡ等の端末であっても構わない。
【０１０７】
本実施の形態においては、端末１０１の表示画面を操作（データ入力／表示項目の選択など）し、ドキュメントＩＤ，印刷出力先ＩＤ、印刷時刻などを含むプリント要求データを生成してインターネットに送出することによって、特定のコンテンツ（ドキュメント）を、印刷出力先ＩＤから得られた適当な出力先（プリンタ，ファクシミリ，あるいはディスプレイなど）に、指定された印刷日時にプリント出力することが可能になる。
【０１０８】
以下、図面を用いて本実施の形態を詳細に説明する。
図１２は、本実施例にかかるプリント要求管理サーバ１０５の一構成例を示す図である。同図において、１０５１はインターネット１０６を介してデータ（ドキュメント）や制御信号を入出力するための入出力部、１０５２は制御部、１０５３は各種ドキュメントなどを保持するハードディスクやキャッシュなどからなるデータ保持部である。
【０１０９】
制御部１０５２は、端末１０１からインターネット１０６を介して受信したプリント要求データに基づいて、ユーザを識別するためのユーザＩＤの管理、端末１から送出されたプリント要求データの管理、時刻の管理、課金の管理、ユーザインタフェースの表示、プリント要求の入力、プリント要求送信先の決定、プリント要求の送信、ステータスやログデータの受信などの制御を行う。また、印刷出力先ＩＤから求められたプリンタサーバまたはファクシミリサーバに該プリント要求データを送信する。
【０１１０】
なお、プリンタサーバ１０８’は、ファイアーウォール（防火壁）１１３で保護されているＬＡＮ中に存在するため、プリント要求管理サーバ１０５は、ファイアーウォール（防火壁）を通過できるプロトコル形式（例えば、電子メール）でプリント要求を送信するようにしている。
【０１１１】
図１３は、ユーザＩＤ毎のプリント要求データの構成例を説明するための図である。同図に示すように、ユーザＩＤ１（１３１）のプリント要求データ１（１３１１）としては、“ドキュメントＩＤ”、“印刷出力先ＩＤ”、“印刷時刻”、“課金情報”・・などを含む「プリント要求データ」と、そのプリント要求データが、待機状態にあるものなのか、取り消しされたものなのか、送信中のものなのか、成功したものものなのか失敗したものなのかを示す「状態」と、プリント要求データの「ログ」などからなる。
【０１１２】
なお、説明を省略するが、同一ユーザの他のユーザ要求データ２、ユーザ要求データ３・・についても同様であり、また他のユーザＩＤについてもユーザＩＤ１の場合と同様である。
【０１１３】
図１４は、本実施例にかかるファクシミリサーバ１０７の一構成例を示す図である。同図に示すように、ファクシミリサーバ１０７は、インターネットからの入出力を行う入出力部１０７１と、制御部１０７２と、データ変換部１０７３と、ハードディスクやＲＡＭなどの作業用記憶装置１０７４と、ドキュメントなどのデータを保持するディスクやキャッシュなどからなるデータ保持部１０７５と、公衆回線網などからの入出力を行うＦＡＸモデム１０７６からなる。
【０１１４】
複数のファクシミリサーバのうち、例えば、出力先のファクシミリ番号の市外局番に従って近いファクシミリサーバ、あるいは回線が空いているファクシミリサーバ、負荷が低いファクシミリサーバなどを検索し、選択するようにする。なお、後述するプリンタサーバの場合は、出力先のプリンタのドメイン名やＩＰアドレスに従って、同じドメインや近いドメイン内のプリンタサーバ、負荷が低いプリンタサーバなどを検索し、選択するようにする。
【０１１５】
図１５は、ファクシミリサーバ１０７の制御部１０７２が行う処理フローチャートである。
まず、インターネット１０６を介して端末１からのプリント要求データをプリント要求管理サーバ１０５から受信すると（ステップＳ１０１）、該プリント要求データに含まれているドキュメントＩＤを解析する（ステップＳ１０２）。
【０１１６】
解析の結果、要求するドキュメントがローカルデータであるか否かを判定する（ステップＳ１０３）。例えば、“file:/”で始まればサーバ自身のもつデータ保持部１０７５（ディスクやキャッシュ）からドキュメントを取得する。自サーバのデータ保持部１０７５にあった場合（ステップＳ１０５：Ｙ）、そのドキュメントに対する課金情報を端末１に表示し端末１の使用者に対し、課金に対する承諾を得る（ステップＳ１０６）。課金情報とは、そのドキュメントの著作権に対する使用料、あるいはそのドキュメントのファイルサイズに従った通信料等である。
【０１１７】
課金に対する承諾を得られた場合（ステップＳ１０７：Ｙ）は、ドキュメントをデータ変換部１０７３で変換する（ステップＳ１０７）。例えば、得られたＨＴＭＬファイル、画像ファイルなどをデータ変換部１０７３でＧ３ファックス形式に変換する。エラーがなければ（ステップＳ１０９：Ｎ）、次にプリント要求データ内の印刷出力先ＩＤを解析して印刷出力先を求め（ステップＳ１１０）、求めた印刷出力先にドキュメントデータを送信する（ステップＳ１１１）。正常に送信できたら（ステップＳ１１２：Ｎ）、送信成功のステータスやログを書き込み、プリント要求管理サーバ１０５に返信する（ステップＳ１１３）。プリント要求管理サーバ１０５は、ステップＳ１１３で返信された送信の成功と不成功の通知に基づいて、課金の管理を行うことが可能となる。
【０１１８】
ステップＳ１０２でプリント要求データ内のドキュメントＩＤを解析した結果、要求されたドキュメントがローカルデータでない場合は（ステップＳ１０３：Ｎ）、要求されたドキュメントをインターネットから取得する（ステップＳ１１４）。例えば、ドキュメントＩＤがＵＲＬの場合、“http://”で始まればそのＵＲＬで示されたインターネット上の場所からドキュメントを取得する。所望のドキュメントを取得できたら（ステップＳ１１５：Ｎ）、前述したステップＳ１０６以降の処理を行う。
【０１１９】
要求されたドキュメントがローカルデータであるにもかかわらず、自サーバに存在しない場合（ステップＳ１０５：Ｎ）、ドキュメントの変換においてエラーが生じた場合（ステップＳ１０９：Ｙ）、要求されたドキュメントがローカルデータでなく（ステップＳ１０３：Ｎ）、かつ該ドキュメントがインターネットから取得できなかった場合（ステップＳ１１５：Ｙ）は、送信不成功のステータスやログを書き込み、プリント要求管理サーバ１０５に返信する（ステップＳ１１３）。
【０１２０】
課金に対する承諾を得られなかった場合（ステップＳ１０７：Ｎ）は、課金に対する承諾を得られなかった旨を示すログを書き込み、プリント要求管理サーバ１０５に返信する（ステップＳ１１３）。
【０１２１】
図１６は、本実施例にかかるプリンタサーバ１０８の一構成例を示す図である。同図に示すように、プリンタサーバ１０８は、インターネット１０６からドキュメントなどを入出力する入出力部１０８１、データ変換部１０８３、作業用データ保持部１０８４、データ保持部１０８５、および制御部１０８２からなり、前述したファクシミリサーバの構成（図１４参照）と同様の構成を有しており、制御部１０８２の処理フローチャートも図１５と同様であるので、説明を省略する。なお、複数のプリンタサーバのうち、出力先のプリンタのドメイン名やＩＰアドレスに従って使用するプリンタサーバを選択するようにする。
【０１２２】
プリンタサーバ１０８は、ファイヤウォール（防火壁）により保護されているＬＡＮ内に存在している場合があり、その場合はプリント要求管理サーバ１０５から防火壁を通過できるプロトコル形式（例えば、電子メール）でプリント要求を受信する。またステータス等をプリント要求管理サーバ１０５へ送信する際も同様に、防火壁を通過できるプロトコル形式（例えば、電子メール）で送信を行う。
【０１２３】
図１７〜図３３は、端末１の表示部に表示されるユーザーインターフェースを説明するための図である。
【０１２４】
図１７は、端末１の表示部に表示される初期選択画面の例である。本例では、初期メニューとして、「遠隔プリント」をするのか、またはよく使うプリンタリストの編集、あるいはよく印刷するブックマークの編集、あるいは宛先等が記載されるカバーページ（表紙）フォーマットの変更等のファクシミリやプリンタの使用者毎の属性に関する操作を行う「プリンタ操作」をするのかを選択させる画面を表示する。
【０１２５】
図１８は、何をプリントするのかを選択させる印刷内容選択画面の例であり、例えば、本例では、「１．コンテンツを選択」および「２．印刷したいＵＲＬを入力」が表示される。
【０１２６】
図１９は、印刷内容（コンテンツ、ドキュメント）を選択させるコンテンツ選択画面の例であり、例えば、本例では、「１．ニュース」，「２．天気予報」，「３．映画情報」，「４．株価チャート」および「５．地図」の選択コンテンツ候補が表示される。
【０１２７】
図２０は、コンテンツを印刷するか否かの確認を行うコンテンツ印刷要求確認画面の例であり、例えば、図１９のコンテンツ選択画面でコンテンツを選択した後、その選択されたコンテンツを印刷することを確認する「ＯＫ」、印刷を取り消す「キャンセル」ボタンが表示される。
【０１２８】
図２１は、図１８の印刷内容選択画面で「印刷したいＵＲＬを入力」を選択した場合に表示されるＵＲＬの入力方法選択画面の例であり、「ＵＲＬを直接入力」および「ブックマークから選択」が表示される。また、これらの選択を確認する「ＯＫ」、取り消す「キャンセル」ボタンも表示される。
【０１２９】
図２２は、図２１のＵＲＬの入力方法選択画面で「ＵＲＬを直接入力」を選択した場合に表示されるＵＲＬ直接入力画面の例であり、本例では入力したＵＲＬをブックマークに登録するための「このＵＲＬをブックマークに登録」も表示される。また、入力されたＵＲＬを印刷する操作を続行するための「ＯＫ」、これらを取り消す「キャンセル」ボタンも表示される。「ＯＫ」が選択された場合、「このＵＲＬをブックマークに登録」がチェックされていれば、当使用者がよく印刷するＵＲＬのリストであるブックマークリストへ当ＵＲＬを登録する。チェックされていなければブックマークリストへの登録は行われない。
【０１３０】
図２３は、図２１のＵＲＬの入力方法選択画面で「ブックマークから選択」を選択した場合に表示されるＵＲＬ選択画面の例であり、複数のＵＲＬが表示され選択可能になっている。選択されているＵＲＬは反転表示などにより使用者が判別できるようになっている。また、ＵＲＬを選択して印刷操作を続行するための「ＯＫ」、選択されたＵＲＬを取り消す「キャンセル」ボタンも表示される。
【０１３１】
図２４は、選択されたコンテンツ（ドキュメント）を印刷する際にかかる課金情報の表示画面の例である。本例では、選択されたコンテンツの著作権に対する課金が「１００円」、コンテンツを印刷するための通信料に対する課金が「２０円」で、合計「１２０円」が利用者に課金されることを示している。表示される課金の値や課金の種類は、選択されたコンテンツによる。また、課金情報への承諾を行うための「ＯＫ」、承諾せずに印刷操作を取り消す「キャンセル」ボタンも表示される。
【０１３２】
図２５は、選択されたコンテンツ（ドキュメント）をどこに出力するかを選択する出力先デバイス選択画面の例であり、本例では、「プリンタ」と「ファクシミリ」が候補として表示されている。また、選択された出力デバイスを確認する「ＯＫ」、取り消す「キャンセル」も表示される。
【０１３３】
なお、コンテンツの出力先候補として「プリンタ」と「ファクシミリ」の他に「ディスプレイ」を追加し、データプロジェクタに接続されたパソコンに対し、表示したいインターネット上のコンテンツのＵＲＬを送り、プロジェクタに接続されたパソコンが、指定されたＵＲＬのコンテンツを取り込み、データプロジェクタで画像を表示することも可能である。
【０１３４】
図２６は、印刷時刻を指定する方法を選択する印刷時刻指定方法の選択画面の例であり、本例では、印刷時刻指定方法として「今すぐに」，「何時何分で指定」，「何分後で指定」を表示し、このどれかを選択するようにしている。選択された指定方法に従って次の操作へ進むための「ＯＫ」、取り消す「キャンセル」ボタンも表示される。
【０１３５】
図２７は、図２６で「何時何分で指定」を選択した場合に表示される印刷日時指定画面の例であり、日時入力欄が表示される。また、入力した印刷日時を確認する「ＯＫ」、取り消す「キャンセル」も表示される。
【０１３６】
図２８は、図２６で「何分後で指定」を選択した場合に表示される印刷時間指定画面の例であり、本例では、何時間、何分後に印刷するかを入力する欄が表示され、図２７と同様、入力した時間データを確認する「ＯＫ」、取り消す「キャンセル」も表示される。
【０１３７】
図２９は、図２５で「ファクシミリ」にプリントすることが選択された場合に表示されるファクシミリ番号入力方法選択画面の例であり、本例では、「直接番号入力」と「リストから選択」の選択方法の候補が表示される。選択されたファクシミリ番号を入力して印刷操作を続行するための「ＯＫ」と取り消す「キャンセル」ボタンも表示される。
【０１３８】
図３０は、図２９で「直接番号入力」を選択した場合に表示されるファクシミリ番号直接入力画面の例であり、本例では、直接入力したファクシミリ番号をリストに登録するメニューも表示され、また、これらの入力を確認する「ＯＫ」と取り消す「キャンセル」も表示される。
【０１３９】
図３１は、図２９で「リストから選択」を選択した場合に表示されるファクシミリ番号選択画面の例であり、複数の選択候補が一覧で表示される。なお、図２９および図３０には、入力または選択されたファクシミリ番号を使って送信するための「送信」と送信を取り消す「キャンセル」も表示される。
【０１４０】
なお、図１７〜図３１では、前画面に戻るために「０．もどる」も選択候補として表示される。また、図１７〜図３０の操作において、図１７での遠隔プリントかプリント操作かの選択、図１８〜図１９の印刷内容の選択、図２４の出力先デバイスの選択、図２５〜図２７の印刷時刻の指定、ファクシミリに出力する場合のファクシミリ番号の指定、のそれぞれの順序は説明の順番ではなく任意の順番でよい。
【０１４１】
また図３０の「送信」ボタンで送信指示を行う前に、コンテンツの場所や課金情報をまとめて使用者に表示し、最終確認させる画面を追加してもよい。
【０１４２】
本説明ではファクシミリに送信する際の例を示したが、出力先がプリンタ等の場合であっても同様な操作を行うことができる。このとき出力先ＩＤとして、例えばプリンタの場合はファクシミリ番号の代わりにIPアドレス等を指定する画面となる。
【０１４３】
図３２は本発明により使用者の端末画面上に印刷用ボタンを表示させ、「ドキュメントＩＤ」の入力を簡略化する例である。この例では「既存のコンテンツサーバ」上にＨＴＭＬ等で記述されたＷｅｂページが存在し、使用者はそのＷｅｂページを端末を利用して閲覧している状態を示している。プリント要求管理サーバはプリント要求データを入力するためのＣＧＩ（Ｃｏｍｍａｎｄ Ｇａｔｅｗａｙ Ｉｎｔｅｒｆａｃｅ）プログラムを有している。
【０１４４】
今、例としてＷｅｂページに次のようなアンカー（リンク）を埋め込む。
<A HREF="http://preqserver/cginame?docname=http://contserver/doc.html">印刷</A>
このアンカーの例において、preqserverはプリント要求管理サーバ名、cginameはプリント要求管理サーバpreqserverが有するプリント要求データ入力用ＣＧＩプログラム名、contserverはコンテンツサーバ名、doc.htmlはコンテンツサーバcontserver上のＷｅｂページ名をそれぞれ表す。
【０１４５】
埋め込まれたアンカー（リンク）は図３２の端末画面の「印刷」のように表示される。ここで使用者が端末から「印刷」のアンカー（リンク）を選択すると、プリント要求管理サーバpreqserverの有するＣＧＩプログラムcginameは、パラメータdocnameにdoc.htmlのＵＲＬであるhttp://contserver/doc.htmlが設定されて起動される。従ってＣＧＩプログラムcginameはプリント要求データのドキュメントＩＤとしてhttp://contserver/doc.htmlを知ることができる。
【０１４６】
例えば、パラメータdocnameに端末に表示しているＷｅｂページ自身のＵＲＬを指定することにより、今使用者が画面で閲覧しているページをＵＲＬの指定なしに印刷することが可能となる。当然のことながら、今画面で閲覧しているページと異なるＵＲＬを設定してもよい。例えば今使用者が閲覧しているＷｅｂページと内容は同等であるがデザインの異なる印刷専用ドキュメントを用意し、この印刷専用ドキュメントのＵＲＬを設定することで表示用ドキュメントと印刷用ドキュメントを切り替えることが可能である。このようにＵＲＬを入力するための操作が必要なくなり、使用者の端末操作を簡略化することができる。
【０１４７】
これ以降の印刷までの操作は、前述の図２４の例以降と同様であるため省略する。本実施例ではアンカーとして「印刷」というテキストを用いたが、これを画像にして印刷アイコンとして表示することが可能である。また本実施例ではアンカー（リンク）を用いてＣＧＩプログラムを起動する例を示したが、フォーム(<FORM>)等を利用して同様の機能を実現することも可能である。
【０１４８】
次に、図３３を用いて請求項２１記載の発明について説明する。図３３の左側の端末画面は、コンテンツサーバ上のＷｅｂページを使用者が端末を利用して閲覧している状態を示している。一般に、特に移動体通信端末等ではＣＰＵ（中央演算装置）の性能やメモリ搭載量等の制約により、データサイズの大きなＷｅｂページの表示が困難である場合が多い。従ってそういった制約のある端末のために作成するＷｅｂページは文字を中心としたページにせざるを得ないのが現状である。一方で印刷等の出力を行うために作成するページにはそういった制約がない場合が多い。
【０１４９】
そこで請求項２１記載の発明においては、ファクシミリサーバやプリントサーバへ印刷専用ドキュメントＩＤを通知させるために専用のタグを定義し、Ｗｅｂページのヘッダ部分等に記述する。タグの例は以下のようなものである。
<META  type="g3fax" url=http://contserver/printable.g3>
【０１５０】
このタグの例において、typeは出力先装置の種類を表すパラメータ名、g3faxは出力先装置がＧ３ファクシミリであることを表す識別子、urlはＵＲＬを表すパラメータ名、contserverはドキュメントが存在するコンテンツサーバ名、printable.g3はドキュメント名である。この例では出力先装置がＧ３ファクシミリである場合の印刷専用データが存在し、その印刷専用データのＵＲＬが
http://contserver/printable.g3
であることを示している。
【０１５１】
同様に出力先装置がプリンタである場合には、
<META  type="psprinter" url=http://contserver/printable.ps>
のように記述でき、ディスプレイ等の他の出力機器も同様である。これらのタグは複数存在することも可能である。当然のことながら、これらの表記は一例であり、ファクシミリサーバやプリンタサーバ等の出力サーバが理解できればどのような表記を用いても構わない。
【０１５２】
プリント要求管理サーバから印刷指示を受けたファクシミリサーバあるいはプリントサーバは、プリント要求データ内のドキュメントＩＤで示されるドキュメントをローカルサーバ上あるいはインターネット経由で取得し、取得したデータを解析して上記の<META>タグを検索する。検索の結果、該当する<META>タグが見つかった場合には、その解析内容に従って、プリント要求データで指定されたドキュメントＩＤの代わりに<META>タグで指定されたドキュメントＩＤを用いて以降の処理を行う。これにより図３３で示されるように、左側の図で示される端末表示用の文字主体のＷｅｂページと、そのページに対応する印刷用の画像主体のＷｅｂページ、あるいはディスプレイ用の動画像データとを切り替えることが可能となる。
【０１５３】
ファクシミリサーバあるいはプリントサーバが、プリント要求データ内のドキュメントＩＤで示されるドキュメントをローカルサーバ上あるいはインターネット経由で取得する際に、<META>タグがヘッダにあると決められている場合は、ドキュメント全てを取得する必要はなく、ヘッダ部分だけを取得すれば解析可能である。また、解析をプリント要求サーバ側で行い、出力用ドキュメントＩＤをプリント要求データに含ませてファクシミリサーバやプリンタサーバ等に送信するように情報入出力システムを構成することも可能である。
【図面の簡単な説明】
【０１５４】
【図１】本発明にかかる情報入出力システムの実施の形態１の構成を示す図である。
【図２】入出力制御装置６内の詳細な構成、および入出力制御装置６周辺の構成を示す図である。
【図３】端末１の処理フローチャート（第１次制御および第２次制御に対応）を示す図である。
【図４】端末１の処理（第３次制御に対応）および課金処理のフローチャートを示す図である。
【図５】情報入出力システムにおける第１次制御および第２次制御の動作の一例を示す図である。
【図６】情報入出力システムにおける第３次制御の動作を示す図である。
【図７】情報入出力システムにおける第１次制御および第２次制御の動作の一例を示す図である。
【図８】本発明にかかる情報入出力システムの実施の形態２の構成を示す図である。
【図９】本発明にかかる情報入出力システムの実施の形態３の構成を示す図である。
【図１０】本発明にかかる情報入出力システムの実施の形態４の構成を示す図である。
【図１１】本発明にかかる情報入出力システムの実施の形態５の構成を示す図である。
【図１２】本実施例にかかるプリント要求管理サーバの一構成例を示す図である。
【図１３】ユーザＩＤ毎のプリント要求データの構成例を説明するための図である。
【図１４】本実施例にかかるファクシミリサーバの一構成例を示す図である。
【図１５】ファクシミリサーバの制御部が行う処理フローチャートである。
【図１６】本実施例にかかるプリンタサーバ１０８の一構成例を示す図である。
【図１７】端末の表示部に表示される初期選択画面の例を示す図である。
【図１８】何をプリントするのかを選択させる印刷内容選択画面の例を示す図である。
【図１９】印刷内容（コンテンツ、ドキュメント）を選択させるコンテンツ選択画面の例を示す図である。
【図２０】コンテンツを印刷するか否かの確認を行うコンテンツ印刷要求確認画面の例を示す図である。
【図２１】図１８の印刷内容選択画面で「印刷したいＵＲＬを入力」を選択した場合に表示されるＵＲＬの入力方法選択画面の例を示す図である。
【図２２】図２１のＵＲＬの入力方法選択画面で「ＵＲＬを直接入力」を選択した場合に表示されるＵＲＬ直接入力画面の例を示す図である。
【図２３】図２１のＵＲＬの入力方法選択画面で「ブックマークから選択」を選択した場合に表示されるＵＲＬ選択画面の例を示す図である。
【図２４】選択されたコンテンツ（ドキュメント）を印刷する際にかかる課金情報の表示画面の例を示す図である。
【図２５】選択されたコンテンツ（ドキュメント）をどこに出力するかを選択する出力先デバイス選択画面の例を示す図である。
【図２６】印刷時刻を指定する方法を選択する印刷時刻指定方法の選択画面の例を示す図である。
【図２７】図２６で「何時何分で指定」を選択した場合に表示される印刷日時指定画面の例を示す図である。
【図２８】図２６で「何分後で指定」を選択した場合に表示される印刷時間指定画面の例を示す図である。
【図２９】図２５で「ファクシミリ」にプリントすることが選択された場合に表示されるファクシミリ番号入力方法選択画面の例を示す図である。
【図３０】図２９で「直接番号入力」を選択した場合に表示されるファクシミリ番号直接入力画面の例を示す図である。
【図３１】図２９で「リストから選択」を選択した場合に表示されるファクシミリ番号選択画面の例を示す図である。
【図３２】本発明により使用者の端末画面上に印刷アンカー（リンク）を表示させ、「ドキュメントＩＤ」の入力を簡略化する例を説明するための図である。
【図３３】端末表示用のデータの代替データとして、出力機器に合わせて最適化された出力用データを出力用に用いることを説明するための図である。
【図３４】従来例の情報入出力システムの情報出力処理を示すフローチャートである。
【符号の説明】
【０１５５】
１，１ａ  端末
２  基地局
３  移動通信制御局
４，４ａ  ホストコンピュータ
５，５ａ  入出力用ゲートウェイサーバ
６，６ａ，６ｂ  入出力制御装置
１１  プリンタ
１２  スキャナ
１３  キーボード
１４  表示装置
１５  現金回収装置
１６  記憶装置
１７  磁気カード読取装置
１８  ＩＣカード読取装置
６１  制御部
６２  通信インターフェース
６３  書込／読出インターフェース
６４  携帯用インターフェース
６５  プリンタインターフェース
６６  スキャナインターフェース
１０１  端末（例えば、移動体通信端末）
１０２  無線パケット網
１０３  ゲートウェイ
１０４  ＩＳＰ（インターネット・サービス・プロバイダ）
１０５  プリント要求管理サーバ
１０５１  入出力部
１０５２  制御部
１０５３  データ保持部
１０６  ネットワーク（インターネット）
１０７，１０７’  ファクシミリサーバ
１０７１  入出力部
１０７２  制御部
１０７３  データ変換部
１０７４  作業用記憶装置
１０７５  データ保持部
１０８，１０８’  プリントサーバ
１０８１  入出力部
１０８２  制御部
１０８３  データ変換部
１０８４  作業用データ保持部
１０８５  データ保持部
１０９  公衆電話回線，ＩＳＤＮ
１１０  ファクシミリ
１１１  ＬＡＮ（ローカル・エリア・ネットワーク）
１１２  プリンタ（インターネットファクシミリ）
１１３  ファイアウォール（防火壁）
１３１  ユーザＩＤ
１３１１  プリント要求データ
【図１】
2007133887.tif 000003
【図２】
2007133887.tif 000004
【図３】
2007133887.tif 000005
【図４】
2007133887.tif 000006
【図５】
2007133887.tif 000007
【図６】
2007133887.tif 000008
【図７】
2007133887.tif 000009
【図８】
2007133887.tif 000010
【図９】
2007133887.tif 000011
【図１０】
2007133887.tif 000012
【図１１】
2007133887.tif 000013
【図１２】
2007133887.tif 000014
【図１３】
2007133887.tif 000015
【図１４】
2007133887.tif 000016
【図１５】
2007133887.tif 000017
【図１６】
2007133887.tif 000018
【図１７】
2007133887.tif 000019
【図１８】
2007133887.tif 000020
【図１９】
2007133887.tif 000021
【図２０】
2007133887.tif 000022
【図２１】
2007133887.tif 000023
【図２２】
2007133887.tif 000024
【図２３】
2007133887.tif 000025
【図２４】
2007133887.tif 000026
【図２５】
2007133887.tif 000027
【図２６】
2007133887.tif 000028
【図２７】
2007133887.tif 000029
【図２８】
2007133887.tif 000030
【図２９】
2007133887.tif 000031
【図３０】
2007133887.tif 000032
【図３１】
2007133887.tif 000033
【図３２】
2007133887.tif 000034
【図３３】
2007133887.tif 000035
【図３４】
2007133887.tif 000036
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
移動体通信端末と、
無線伝送路を介して前記端末との通信を行い、前記端末の使用者に提供可能なサービスに関するデータベースを備えたサービス提供手段と、
前記端末の使用者が前記各種サービスの提供を受けられる契約者かどうかを確認する確認手段と、
前記サービス提供手段内のデータを前記端末から受け取り、出力する入出力制御装置と、
を備え、
前記端末と前記サービス提供手段との通信を確立後、前記端末からの操作で、前記データベース内のデータを読み出し、
該データの出力を希望する前記入出力制御装置に対して認証コードを入力し、前記確認手段にて前記サービスの提供を受けられる契約者として認証された場合に、前記入出力制御装置が所定のタイミングで該データを受け取り、その後、出力することを特徴とする情報入出力システム。
【請求項２】
データの出力を希望する入出力制御装置に対して、使用者を認証するための認証コードを、無線伝送路を介してまたは既知のケーブルを用いて、入力することを特徴とする移動体通信端末。
【請求項３】
移動体通信端末から、出力コマンドが入力された時点で、データを受け取り、同時に、予め所定の金額の入金しておく現金回収装置や、ＩＣカードや磁気カードの電子マネーを用いて課金処理を開始することを特徴とする入出力制御装置。